(57)【要約】【課題】  羽織紐に備わっている装飾性を、羽織を着用しているときに役立てることができるだけでなく、羽織を着用しないときにも装身のためにも役立てることができるようにして、羽織紐の用途を、本来の用途以外の装身具の範囲に拡大する。【解決手段】  羽織紐本体６の両端に、羽織Ａの襟ａに設けられている乳３に引っかける鐶７が備わり、その鐶７が、身体の所定部位に巻き掛けられる紐状体５の端部に設けられた係止部５１に係脱自在に構成されている。鐶７を係止部５１に係止させて羽織紐本体６と紐状体５とを環状に連結することにより、羽織紐本体６が装身具として使用可能となる。【選択図】        図１
0003115152.tif 000002
【実用新案登録請求の範囲】
【請求項１】
羽織紐本体の両端に、羽織の襟に設けられている乳に引っかける鐶が備わり、その鐶が、身体の所定部位に巻き掛けられる紐状体の端部に設けられた係止部に係脱自在に構成されていて、その鐶を上記係止部に係止させて上記羽織紐本体と上記紐状体とを環状に連結することにより上記羽織紐本体を装身具として使用可能としたことを特徴とする羽織紐。
【請求項２】
上記羽織紐本体が、数珠つなぎ状に連結された宝石や貴金属などを備える装飾鎖によって形成されている請求項１に記載した羽織紐。
【考案の詳細な説明】
【技術分野】
【０００１】
本考案は、羽織紐、特に、羽織の襟に設けられている乳（ち）と呼ばれる掛吊り具に引っかけることによって羽織の胸元が開かないようにするための羽織紐に関する。
【背景技術】
【０００２】
古来の羽織では、図３のように胸元が開かないように羽織Ａの左右の襟ａ，ａをつなぎ止める羽織紐１，１が左右の襟ａ，ａに縫い付けてあり、それら左右の羽織紐１，１を互いに結んだり解いたりすることができるようになっていた。
【０００３】
一方、近時では、羽織紐を羽織の襟に簡単に着脱することができるようにすることが行われている。図４のように、この種の羽織紐１では、その両端のそれぞれに連結具２が取り付けられていて、その連結具２と羽織の襟ａに設けられた乳３とをＳ字形の鐶（かん：環）４を用いて連結するようになっている。
【０００４】
ところで、羽織紐は、上記したように羽織の胸元が開かないように左右の襟をつなぎ止めるという役割のほか、羽織を着用する者にとってのファッション性を高めるという役割をも発揮しているという実情がある。しかしながら、近年では、羽織自体を着用する機会が次第に少なくなっていて、その結果として、装飾性を備えた羽織紐もその使用の機会が次第に減ってきているという状況がある。
【０００５】
【特許文献１】特になし
【考案の開示】
【考案が解決しようとする課題】
【０００６】
本考案は以上の状況に鑑み、羽織紐に備わっている装飾性を、羽織を着用しているときだけでなく、羽織を着用しないときでも装身のために役立たせることのできる対策を講じることによって、羽織紐の用途を、本来の羽織に組み合せてその胸元を開かないようにしたり羽織を着用する者にとってのファッション性を高めるという用途のほか、羽織を着用するかしないかに関係なく、ネックレスやブレスレットなどの装身具としての用途にも拡大することができるようにすることを目的とする。
【課題を解決するための手段】
【０００７】
本考案に係る羽織紐は、羽織紐本体の両端に、羽織の襟に設けられている乳に引っかける鐶が備わり、その鐶が、身体の所定部位に巻き掛けられる紐状体の端部に設けられた係止部に係脱自在に構成されていて、その鐶を上記係止部に係止させて上記羽織紐本体と上記紐状体とを環状に連結することにより上記羽織紐本体を装身具として使用可能としたものである。
【０００８】
この構成を備えた羽織紐は、その両端の鐶を紐状体の係止部に係止させて当該羽織紐と紐状体とを環状に連結することにより、上記紐状体を首に引っかけて首の周囲や胸元を飾るネックレスとして、手首などに巻き付けて手首を飾るブレスレットとして、さらには、髪を束ねて頭部を飾るバレットなどとして、様々な種類の装身具として利用することが可能である。したがって、羽織紐の用途が、羽織の胸元が開かないようにしたり羽織の着用者のファッション性を高めるという本来の用途以外の装身具としての用途にも拡大し、羽織を着用する機会の少ない現代社会で羽織紐を有効活用することが可能になる。
【０００９】
本考案では、上記羽織紐本体が、数珠つなぎ状に連結された宝石や貴金属などを備える装飾鎖によって形成されている、という構成を採用することができ、これによれば、数珠つなぎ状に連結された宝石や貴金属などによる装飾作用を装身具に役立てることが可能になる。
【考案の効果】
【００１０】
本考案に係る羽織紐によれば、羽織紐に備わっている装飾性が、羽織を着用しているときだけでなく、羽織を着用しないときでも装身のためにも役立てることができるようになるので、羽織紐の用途を、本来の羽織に組み合せてその胸元を開かないようにしたり羽織の着用者にとってのファッション性を高めるという用途のほか、羽織を着用するかしないかに関係なく、ネックレスやブレスレットなどの装身具としての用途にも拡大することができるようになる。
【考案を実施するための最良の形態】
【００１１】
図１は本考案に係る羽織紐１と、その羽織紐１と組み合わせて用いることのできる紐状体５とを示した概略図であり、図２は羽織紐１を本来の用途に用いた場合の使用状態を示した概略図である。
【００１２】
羽織紐１は、装飾鎖によって形成された羽織紐本体６の両端に鐶（かん：環）７，７が備わっている。図１に拡大して示したように、図例の鐶７は、Ｊ字形のフック部７１とそのフック部７１の開き口を開閉するためのレバー部７２と、そのレバー部７２と一体の操作部７３と、レバー部７２を閉方向に付勢するばね（不図示）とを備えていて、操作部７３を操作するか、あるいは、レバー部７２を押圧することにより、そのレバー部７２をフック部７１の内側へ押し込むと、フック部７１の開き口が開き、レバー部７２に対する押込み力が解除されると、レバー部７２がばね力により開き口を閉じる位置に復帰するようになっている。また、上記羽織紐本体６を形成している装飾鎖は、人造又は天然の宝石や貴金属によって形作られた多面体や球体でなる大小の玉６１を数珠つなぎ状に連結することによって高度の装飾性を発揮させるようにした鎖状のものであり、この実施形態では、羽織紐本体６の全体がそのような装飾鎖によって形成されている。
【００１３】
図２のように、羽織の左右の襟ａ，ａに設けられている乳３に、上記構成を有する羽織紐１の両端の鐶７，７をそれぞれ引っ掛けることによって本来の羽織紐１の用途に用いられ、この用途では、羽織紐１が羽織の胸元を開かないように左右の襟ａ，ａをつなぎ止めることに役立つほか、羽織の着用者のファッション性を高めることにも役立つ。
【００１４】
また、この実施形態の羽織紐１は、羽織紐１の本来の用途以外の用途にも用い得る対策が講じられている。すなわち、この実施形態の羽織紐１に設けられている鐶７に、上記したようにフック部７１とそのフック部の開き口を閉じるレバー部７２とを具備させてあり、その鐶７を、図１に示した紐状体５の端部に設けられている係止部５１に引っかけることによって当該羽織紐１と紐状体５とを環状に連結することを可能としてある。この構成であると、紐状体５の長さを適切に定めておくことにより、紐状体５を首に引っかけて首の周囲や胸元を飾るネックレスとして、手首などに巻き付けて手首を飾るブレスレットとして、さらには、髪を束ねて頭部を飾るバレットなどとして、様々な種類の装身具として利用することが可能である。したがって、羽織紐１の用途が、それ本来の羽織紐としての用途だけでなく、ブレスレットやネックレス、バレットなどの装身具としての用途にも拡大される。特に、この実施形態では、羽織紐本体６に、数珠つなぎ状に連結された宝石や貴金属の玉６１を用いることによって高度な装飾性を持たせてあることに加えて、紐状体５にも輝きを持つ連鎖を用いてその装飾性を高めてある。そのため、羽織紐本体６の装飾性や紐状体５の装飾性が、ブレスレットなどの装身具としての用途に用いる場合の装用者のファッション性を高めることに非常に役に立つことになる。
【００１５】
この実施形態では、羽織紐本体６を玉６１を数珠つなぎ状に連結した装飾鎖によって形成してあるけれども、この点は、羽織紐本体６がそのような装飾鎖を一部に有するものであっても、羽織紐本体６に他のデザインを持たせたものであってもよい。また、鐶７の具体的構成が図例に限定されないことは勿論である。
【図面の簡単な説明】
【００１６】
【図１】本考案に係る羽織紐とその羽織紐と組み合わせられる紐状体５とを示した概略図である。
【図２】羽織紐を本来の用途に用いた場合の使用状態を示した概略図である。
【図３】古来の羽織に用いられている羽織紐を例示した説明図である。
【図４】羽織の襟に着脱することのできる羽織紐の要部を示した説明図である。
【符号の説明】
【００１７】
Ａ  羽織
ａ  羽織の襟
３  乳
６  羽織紐本体
７  鐶
５  紐状体
５１  係止部
【図１】
0003115152.tif 000003
【図２】
0003115152.tif 000004
【図３】
0003115152.tif 000005
【図４】
0003115152.tif 000006